(57)【特許請求の範囲】
【請求項１】
コネクタインタフェース保持機構と、
コネクタインタフェースと
を備え、
前記コネクタインタフェースは、
前記コネクタインタフェース保持機構へ斜めに取付ける際と、ストレートに取付ける際に共通の２箇所の位置決め穴を有し、
前記コネクタインタフェース保持機構は、
前記コネクタインタフェースを斜めに取付ける際の第一の位置決め部と前記コネクタインタフェースをストレートに取付ける際の第二の位置決め部を有し、
前記第一の位置決め部は、前記コネクタインタフェースの２箇所の位置決め穴の一方の位置決め穴と位置決めされる共通の位置決めピンと、前記コネクタインタフェースが斜めに取付けられる際に前記コネクタインタフェースの２箇所の位置決め穴の他方の位置決め穴と位置決めされ、前記コネクタインタフェースがストレートに取付けられる際に前記コネクタインタフェースが取付けられる部分ではない位置に設けられる、斜め用の位置決めピンとを有し、
前記第二の位置決め部は、前記共通の位置決めピンと、前記コネクタインタフェースがストレートに取付けられる際に前記コネクタインタフェースの２箇所の位置決め穴の他方の位置決め穴と位置決めされ、前記コネクタインタフェースが斜めに取付けられる際に前記コネクタインタフェースが取付けられる部分ではない位置に設けられる、ストレート用の位置決めピンとを有し、
前記コネクタインタフェースは、
前記コネクタインタフェース保持機構へ斜めに取付ける際と、ストレートに取付ける際に共通の固定ネジ穴を有し、
前記コネクタインタフェース保持機構は、
前記コネクタインタフェースの共通の２箇所の位置決め穴と前記コネクタインタフェース保持機構の第一の位置決め部により斜めに取り付ける位置決めがなされると、前記コネクタインタフェースの共通の固定ネジ穴とにより前記コネクタインタフェースを前記コネクタインタフェース保持機構に斜めにネジで固定するための斜め用の固定ネジ穴と、
前記コネクタインタフェースの共通の２箇所の位置決め穴と前記コネクタインタフェース保持機構の第二の位置決め部によりストレートに取り付ける位置決めがなされると、前記コネクタインタフェースの共通の固定ネジ穴とにより前記コネクタインタフェースを前記コネクタインタフェース保持機構にストレートにネジで固定するための、前記斜め用の固定ネジ穴と異なるストレート用の固定ネジ穴を有する、
光トランシーバ。
【請求項２】
前記コネクタインタフェースは、コネクタ挿入口を有する前面と、前記前面と対向する背面と、前記コネクタインタフェース保持機構へ斜めに取付ける際に前記コネクタインタフェース保持機構の第一の位置決め部と第二の位置決め部を有する面に接する底面と、前記底面と対向する上面と、対向する一対の側面とを有し、
前記コネクタインタフェース保持機構は前記コネクタインタフェースの一対の側面側をそれぞれ保護する、対向する一対の内部保護部を有し、
前記内部保護部それぞれは、前記コネクタインタフェースが斜めに取付けられた場合に前記コネクタインタフェースの側面と平行な面と、前記コネクタインタフェースがストレートに取付けられた場合に前記コネクタインタフェースの側面と平行な面を有する請求項１記載の光トランシーバ。
【請求項３】
前記コネクタインタフェースは、コネクタ挿入口を有する前面と、前記前面と対向する背面と、前記コネクタインタフェース保持機構へ斜めに取付ける際に前記コネクタインタフェース保持機構の第一の位置決め部と第二の位置決め部を有する面に接する底面と、前記底面と対向する上面と、対向する一対の側面とを有し、
前記コネクタインタフェース保持機構は凸部を有し、
前記凸部の形状は、前記コネクタインタフェースが斜めに取付けられた際に前記コネクタインタフェースの前面と平行な面と、前記コネクタインタフェースの側面と平行な面と、前記コネクタインタフェースがストレートに取付けられた際に前記コネクタインタフェースの前面と平行な面を有する形状である請求項１または請求項２記載の光トランシーバ。
【請求項４】
前記コネクタインタフェース保持機構に、前記コネクタインタフェースが斜めに取付けられた際、あるいは前記コネクタインタフェースがストレートに取付けられた際のいずれであっても、シールド部材固定部及び前記シールド部材固定部に固定されたシールド部材が前記コネクタインタフェースと重ならない位置となることを特徴とした請求項１から請求項３のいずれかに記載の光トランシーバ。
【発明の詳細な説明】
【技術分野】
【０００１】
本発明は、光トランシーバに関するものである。
【背景技術】
【０００２】
光通信システムは、光ファイバーを用いて長距離を高速で通信可能なことから、大変普及している。光ファイバー内を伝送する光信号を電気信号に変換するデバイスが光トランシーバである。光トランシーバは光ファイバーを接続し、各装置間の光信号を入出力する。光トランシーバに光ファイバーを接続する場合に用いられるのが、光ファイバー端に設けられた光ファイバー用コネクタと、光トランシーバ側に設けられた光ファイバー用コネクタインタフェースである。【０００３】
故障防止のため、光ファイバーは引き回しの際に極力折り曲げないほうが良い。そのため、光トランシーバの実装形態と配線経路によりコネクタインタフェースを斜めにした方が良い場合とコネクタインタフェースをストレートにした方が良い場合がある。このような理由から、コネクタインタフェースが斜めに取付けられた光トランシーバと、コネクタインタフェースがストレートに取付けられたトランシーバの需要がある。
特許文献１には、光ファイバー用コネクタインタフェースがストレートに取付けられた光トランシーバについて開示がある。
【先行技術文献】
【特許文献】
【０００４】
【特許文献１】特開２００６−２０３４０１号公報
【発明の概要】
【発明が解決しようとする課題】
【０００５】
光トランシーバのコネクタインタフェースの取付け向きが異なる場合、例えばコネクタインタフェースが斜めに取付けられた光トランシーバと、コネクタインタフェースがストレートに取付けられた光トランシーバとでは、異なるケースやカバーを必要とする。異なるケースやカバーを用いる場合、光トランシーバのコストアップとなり、光通信の普及を阻害するという問題がある。本発明は上記のような課題を解消するためになされたものである。
【課題を解決するための手段】
【０００６】
この発明は上述のような課題を解消するためになされたもので、本発明によれば、光トランシーバは、コネクタインタフェース保持機構と、コネクタインタフェースとを備え、コネクタインタフェースは、コネクタインタフェース保持機構へ斜めに取付ける際と、ストレートに取付ける際に共通の２箇所の位置決め穴を有し、コネクタインタフェース保持機構は、コネクタインタフェースを斜めに取付ける際の第一の位置決め部とコネクタインタフェースをストレートに取付ける際の第二の位置決め部を有し、第一の位置決め部は、コネクタインタフェースの２箇所の位置決め穴の一方の位置決め穴と位置決めされる共通の位置決めピンと、コネクタインタフェースが斜めに取付けられる際にコネクタインタフェースの２箇所の位置決め穴の他方の位置決め穴と位置決めされ、コネクタインタフェースがストレートに取付けられる際にコネクタインタフェースが取付けられる部分ではない位置に設けられる、斜め用の位置決めピンとを有し、第二の位置決め部は、共通の位置決めピンと、コネクタインタフェースがストレートに取付けられる際にコネクタインタフェースの２箇所の位置決め穴の他方の位置決め穴と位置決めされ、コネクタインタフェースが斜めに取付けられる際にコネクタインタフェースが取付けられる部分ではない位置に設けられる、ストレート用の位置決めピンとを有し、コネクタインタフェースは、コネクタインタフェース保持機構へ斜めに取付ける際と、ストレートに取付ける際に共通の固定ネジ穴を有し、コネクタインタフェース保持機構は、コネクタインタフェースの共通の２箇所の位置決め穴とコネクタインタフェース保持機構の第一の位置決め部により斜めに取り付ける位置決めがなされると、コネクタインタフェースの共通の固定ネジ穴とによりコネクタインタフェースをコネクタインタフェース保持機構に斜めにネジで固定するための斜め用の固定ネジ穴と、コネクタインタフェースの共通の２箇所の位置決め穴とコネクタインタフェース保持機構の第二の位置決め部によりストレートに取り付ける位置決めがなされると、コネクタインタフェースの共通の固定ネジ穴とによりコネクタインタフェースをコネクタインタフェース保持機構にストレートにネジで固定するための、斜め用の固定ネジ穴と異なるストレート用の固定ネジ穴を有する。
【発明の効果】
【０００７】
この発明によれば、コネクタインタフェースの取付け向きが異なる場合であっても同一のケースやカバーを用いることが可能となる。これにより、光トランシーバのコストアップを防止することができる。
【図面の簡単な説明】
【０００８】
【図１】この発明の実施の形態１に係る光トランシーバのケースを示す図である。
【図２】この発明の実施の形態１に係るコネクタインタフェース保持部の拡大図である。
【図３】この発明の実施の形態１に係るコネクタインタフェース保持部にコネクタインタフェースを斜めに取付けた場合の拡大図である。
【図４】この発明の実施の形態１に係るコネクタインタフェース保持部にコネクタインタフェースをストレートに取付けた場合の拡大図である。
【図５】この発明の実施の形態１によるケースの位置決め部が位置決めピンであり、コネクタインタフェースの位置決め部が位置決め穴である場合のコネクタインタフェース保持部を示す図である。
【図６】この発明の実施の形態１に係るコネクタインタフェースを斜めに取付けた場合の光トランシーバを示す図である。
【図７】この発明の実施の形態１に係るコネクタインタフェースをストレートに取付けた場合の光トランシーバを示す図である。
【図８】この発明の実施の形態１に係るコネクタインタフェースを斜めに取付けた場合の光トランシーバを示す図である。
【図９】この発明の実施の形態１に係るコネクタインタフェースをストレートに取付けた場合の光トランシーバを示す図である。
【図１０】この発明の実施の形態２に係るコネクタインタフェースを斜めに取付けた場合のケースを示す図である。
【図１１】この発明の実施の形態２に係るコネクタインタフェースをストレートに取付けた場合のケースを示す図である。
【発明を実施するための形態】
【０００９】
以下、この発明の実施の形態を図に基づいて説明する。各図において同一の符号は、同一または相当するものであるので、説明は省略する。
【００１０】
実施の形態１．
図１は、この発明の実施の形態１に係る光トランシーバのケースを示す図である。
ケース１０１は、光部品、電気部品を収容する。ケース１０１は、コネクタインタフェース保持部１０２（コネクタインタフェース保持機構）を有する。
【００１１】
図２は、この発明の実施の形態１に係るコネクタインタフェース保持部の拡大図である。
図３は、この発明の実施の形態１に係るコネクタインタフェース保持部にコネクタインタフェースを斜めに取付けた場合の拡大図である。
図４は、この発明の実施の形態１に係るコネクタインタフェース保持部にコネクタインタフェースをストレートに取付けた場合の拡大図である。
コネクタインタフェース保持部１０２は、固定ネジ穴１０３と、位置決め部１０４、内部保護部１０５、コネクタインタフェース受け部１０６を有する。
【００１２】
固定ネジ穴１０３は、コネクタインタフェース１０７をケース１０１へ取付け、固定する際に用いる。
コネクタインタフェース１０７の固定ネジ穴１０８は、図３に示す斜めに取付ける場合であっても、図４に示すストレートに取付ける場合であっても同様の位置を用いる。これにより、取付け向きによらず、コネクタインタフェース１０７に複数種類の固定ネジ穴１０８を設ける必要が無く、コストダウン、作業効率向上との効果を得ることができる。
一方、ケース１０１の固定ネジ穴１０３は、図３に示す斜めに取付ける場合用と、図４に示すストレートに取付ける場合用と異なる位置に設ける。具体的には、斜めに取付ける場合、固定ネジ穴１０８−１と固定ネジ穴１０３−１とを、固定ネジ穴１０８−２と固定ネジ穴１０３−２とを用いてネジで固定する（図２、図３参照）。また、ストレートに取付ける場合、固定ネジ穴１０８−１と固定ネジ穴１０３−３とを、固定ネジ穴１０８−２と固定ネジ穴１０３−４とを用いてネジで固定する（図２、図４参照）。なお、コネクタインタフェース１０７をケース１０１へ取付けた状態でケース１０１に対向する面からみた図３、図４においては、固定ネジ穴１０８は見えないが、便宜上図示している。
【００１３】
位置決め部１０４は、コネクタインタフェース１０７とケース１０１とを取付ける際の位置決めに用いる。これにより、光トランシーバの組立毎にコネクタインタフェース１０７を同じ位置に取付けることが可能となるとの効果を得ることができる。
位置決め部１０４の具体例としては、位置決めピン、位置決め穴、位置決めマークなどがある。
コネクタインタフェース１０７の位置決め部１０９は、図３に示す斜めに取付ける場合であっても、図４に示すストレートに取付ける場合であっても同様の位置を用いる。これにより、取付け向きによらず、コネクタインタフェース１０７に複数種類の位置決め部１０９を設ける必要がなく、コストダウン、作業効率向上との効果を得ることができる。コネクタインタフェース１０７の位置決め部１０９の具体例としては、位置決めピン、位置決め穴、位置決めマークなどがある。
【００１４】
一方、ケース１０１の位置決め部１０４は、図３に示す斜めに取付ける場合用と、図４に示すストレートに取付ける場合用と異なる位置に設ける。ここでコネクタインタフェース１０７を斜めに取付ける場合のケース１０１の位置決め部を第一の位置決め部と称し、ストレートに取付ける場合のケース１０１の位置決め部を第二の位置決め部と称する。具体的には、斜めに取付ける場合、位置決め部１０９−１と位置決め部１０４−１とを、位置決め部１０９−２と位置決め部１０４−２とを用いて位置決めする（図２、図３参照）。また、ストレートに取付ける場合、位置決め部１０９−１と位置決め部１０４−３とを、位置決め部１０９−２と位置決め部１０４−２とを用いて位置決めする（図２、図４参照）。なお、コネクタインタフェース１０７をケース１０１へ取付けた状態でケース１０１に対向する面からみた図３、図４においては、位置決め部１０９は見えない場合もあるが、便宜上図示している。
各取付け向きにてケース１０１の位置決め部１０４、コネクタインタフェース１０７の位置決め部１０９は、２箇所以上設けると良い。回転方向のずれを防止するとの効果を得ることができる。
【００１５】
位置決め部の具体例で親和性の高い組合わせは、ケース１０１の位置決め部１０４が位置決めピンの場合、コネクタインタフェース１０７の位置決め部１０９は位置決め穴がよい。穴とピンを組合わせることで位置決め後の位置ずれ防止との効果を得ることができる。ケース１０１の位置決め部１０４が位置決め穴の場合、コネクタインタフェース１０７の位置決め部１０９は位置決めピンがよい。穴とピンを組合わせることで位置決め後の位置ずれ防止との効果を得ることができる。図５にケース１０１の位置決め部１０４が位置決めピンであり、コネクタインタフェース１０７の位置決め部１０９が位置決め穴である場合のコネクタインタフェース保持部１０２の図を示す。
【００１６】
ケース１０１の位置決め部１０４が位置決めピンの場合、位置の決定方法の具体例を以下に開示する。第一の具体例は、各取付向きでコネクタインタフェース１０７の同じ位置がケース１０１（コネクタインタフェース保持部１０２）の同じ位置となる位置。第二の具体例は、取付け時に他の取付向きでコネクタインタフェース１０７が取付けられる部分ではない位置。第一の具体例、あるいは第二の具体例でケース１０１の位置決めピンの位置を決定することで、各取付向きにて位置決めピンがコネクタインタフェース１０７の取付けを阻害することがなくなるとの効果を得ることが出来る。
【００１７】
例えば、図２、図３、図４の例では、位置決め部（ピン）１０４−２は、図３に示す斜めに取付ける場合であっても、図４に示すストレートに取付ける場合であっても、コネクタインタフェース１０７の同じ位置（位置決め部（穴）１０９−２）となる。また、位置決め部（ピン）１０４−１は、斜めに取付けた場合の位置決め部（穴）１０９−１と位置決めし（図３参照）、且つストレートに取付けた場合ではコネクタインタフェース１０７が取付けられる部分ではない位置となる（図４参照）。また、位置決め部（ピン）１０４−３は、ストレートに取付けた場合の位置決め部（穴）１０９−１と位置決めし（図４参照）、且つ、斜めに取付けた場合ではコネクタインタフェース１０７が取付けられる部分ではない位置となる（図３参照）。
【００１８】
光トランシーバは、ケース１０１にカバー１１０を被せ、コネクタインタフェース１０７を取付けた側にパネル１１１を取付けて構成される。
図６、図８は、この発明の実施の形態１に係るコネクタインタフェースを斜めに取付けた場合の光トランシーバを示す図である。
図７、図９は、この発明の実施の形態１に係るコネクタインタフェースをストレートに取付けた場合の光トランシーバを示す図である。
コネクタインタフェース１０７にてコネクタ挿入口（図示省略）を有する面を前面１１２とする。前面１１２と対向する面を背面１１３とする。コネクタインタフェース１０７をケース１０１に取付けた際に、ケース１０１の位置決め部１０４を有する面に接する面を底面１１４とする。底面１１４と対向する面を上面１１５とする。その他の面を側面１１６（側面Ａ１１６−１、側面Ｂ１１６−２）とする。
【００１９】
内部保護部１０５は、側面Ａ１１６−１側を保護する内部保護部１０５−１と側面Ｂ１１６−２側を保護する内部保護部１０５−２を有する。
内部保護部１０５−１は、斜めに取付けた場合にコネクタインタフェース１０７の側面Ａ１１６−１と略平行な面１１７−１と（図３参照）、ストレートに取付けた場合にコネクタインタフェース１０７の側面Ａ１１６−１と略平行な面１１７−２を有する（図４参照）。斜めに取付けた場合、側面Ａ１１６−１と面１１７−１は、近接する。ストレートに取付けた場合、側面Ａ１１６−１と面１１７−２は、近接する。
内部保護部１０５−２は、斜めに取付けた場合にコネクタインタフェース１０７の側面Ｂ１１６−２と略平行な面１１８−１と（図３参照）、ストレートに取り付けた場合にコネクタインタフェース１０７の側面Ｂ１１６−２と略平行な面１１８−２を有する（図４参照）。斜めに取付けた場合、側面Ｂ１１６−２と面１１８−１は、近接する。ストレートに取付けた場合、側面Ｂ１１６−２と面１１８−２は、近接する。
光トランシーバ内に異物が入ると、光トランシーバ内の回路上でショートなどが発生し、故障に繋がる。光トランシーバが故障すると、光通信が不能となる。斜めに取付けた場合にも、ストレートに取り付けた場合にもコネクタインタフェース１０７の側面と内部保護部１０５が略平行な、近接する面を持つことで、取付向きに依らず内部に異物が入り難くなり、光トランシーバの故障を防ぐとの効果を奏する。
【００２０】
コネクタインタフェース受け部１０６は、ケース１０１から凸部を形成する。凸部の形状は、コネクタインタフェース１０７を斜めに取付けた場合の前面１１２と略平行な面１１９、コネクタインタフェース１０７を斜めに取付けた場合の側面１１６と略平行な面１２０、コネクタインタフェース１０７をストレートに取付けた場合の前面１１２と略平行な面１２１からなる（図２参照）。このような、コネクタインタフェース受け部１０６を設けること、またその形状により、コネクタインタフェース１０７を保持する力が増すとの効果を得ることができる。
【００２１】
以上説明したように、本実施の形態１によれば、コネクタインタフェースの取付け向きが異なる場合であっても同一のケースやカバーを用いることが可能となる。これにより、コストアップの防止、試験の増加に伴う品質担保が困難になることの防止、製造過程が複雑化になることを防止することができる。
【００２２】
実施の形態２．
実施の形態１と異なる部分を中心に説明する。
光通信システムにおける通信速度は年々高まっており、光トランシーバのシールド対策は重要となっている。
コネクタインタフェース１０７を取付ける面を前面とする。前面と対向する面を背面とする。位置決め部１０４を有する面を底面とする。底面と対向する面を上面とする。その他の面を側面とする。光トランシーバは、側面と前面の３面にシールド部材が取付けられる。
図１０は、この発明の実施の形態２に係るコネクタインタフェースを斜めに取付けた場合のケースを示す図である。
図１１は、この発明の実施の形態２に係るコネクタインタフェースをストレートに取付けた場合のケースを示す図である。
ケース１０１は、シールド部材保持部２０１（図示省略）を有する。
シールド部材保持部２０１は、ケース溝部２０２と、シールド部材固定部２０３を有する。
シールド部材固定部２０３の位置の決定方法の具体例を以下に開示する。
複数の取付け向きでコネクタインタフェース１０７を取付けた場合であっても、シールド部材固定部２０３、及び固定されたシールド部材が、コネクタインタフェース１０７と重ならない位置となること。
【００２３】
以上説明したように、本実施の形態２によれば、各取付向きにてシールド部材固定部、及び固定されたシールド部材がコネクタインタフェース１０７の取付けを阻害することがなくなるとの効果を得ることが出来る。
【００２４】
なお、実施の形態１と実施の形態２とは、組合わせて用いることができる。
【産業上の利用可能性】
【００２５】
この発明に係る光トランシーバは、コネクタインタフェースの取付け向きが異なる場合であっても同一のケースやカバーを用いることができるよう構成したので、光通信システムにおいて光ファイバー内を伝送する光信号を電気信号に変換する光トランシーバなどに用いるのに適している。
【符号の説明】
【００２６】
１０１  ケース、１０２  コネクタインタフェース保持部（コネクタインタフェース保持機構）、１０３  固定ネジ穴、１０４  位置決め部、１０５  内部保護部、１０６  コネクタインタフェース受け部、１０７  コネクタインタフェース、１０８  固定ネジ穴、１０９  位置決め部、１１０  カバー、１１１  パネル、１１２  前面、１１３  背面、１１４  底面、１１５  上面、１１６  側面、１１７，１１８，１１９，１２０，１２１  面、２０１  シールド部材保持部（図示省略）、２０２  ケース溝部、２０３  シールド部材固定部。
【図１】
0006732111.tif 000002
【図２】
0006732111.tif 000003
【図３】
0006732111.tif 000004
【図４】
0006732111.tif 000005
【図５】
0006732111.tif 000006
【図６】
0006732111.tif 000007
【図７】
0006732111.tif 000008
【図８】
0006732111.tif 000009
【図９】
0006732111.tif 000010
【図１０】
0006732111.tif 000011
【図１１】
0006732111.tif 000012